(57)【特許請求の範囲】
【請求項１】
被施療者の脚部をマッサージするためのエアバッグを配してある脚施療部を一面側に有するとともに該脚施療部の反対面側には脚部を載せておくための脚載部を有する本体部と、上記本体部を回転自在に支持する支持台部とを具備する回転式脚マッサージ機において、エアバッグへの給排気を制御する制御機構を上記本体部に内蔵させてあり、上記制御機構は、エアバッグへの給気を行うエアポンプと、エアポンプおよびエアバックを連通させるエア経路と、エア経路内に介在する電磁弁と、エアポンプ及び電磁弁を制御する制御回路とから成り、脚施療部の背面側に固定される取付板上に固定されたものであり、脚施療部との間で制御機構を覆うように固定した収納カバーによって、箱型を成す脚載部を形成していることを特徴とする回転式脚マッサージ機。
【請求項２】
上記エアポンプの互いに反対側を向く面にそれぞれ複数接続される防振用ゴム足を介して、上記エアポンプを上記本体部内に隙間を空けて支持させてあることを特徴とする請求項１に記載の回転式脚マッサージ機。
【発明の詳細な説明】
【技術分野】
【０００１】
本発明は、脚施療部の反対面に脚載部を有する本体部を、回転自在に備えて成る回転式脚マッサージ機に関するものである。
【背景技術】
【０００２】
従来から、エアバッグを配してある脚施療部を一面側に有し、その反対面側には脚部を載せておくことのできる脚載部を有する本体部と、上記本体部を回転自在に支持する支持台部とを具備する回転式脚マッサージ機が知られている（特許文献１参照）。被施療者は、本体部の脚施療部側が上方乃至側方を向くようにセットして自らの脚部を該脚施療部内に保持させ、この状態でエアバッグの給排気を行うことで脚部にマッサージを施すことができる。また本体部を反転させて脚載部が上側を向くようにセットすれば、脚載部の平坦面上に脚部を載せておく脚載せ台としても利用可能になっている。
【０００３】
上記従来の回転式脚マッサージ機にあっては、脚施療部に配されるエアバッグへの給排気を行うためのエアポンプ等から成る制御機構は、本体部を回転自在に支持する支持台部上に設置してあった。具体的に言えば、この支持台部は本体部を支持する左右一対の支持脚と、両支持脚をつなぐ長板部とで主体を成すものであって、この長板部の上面にエアポンプ等の制御機構を固定させた構造であった。
【０００４】
そして、上記構造のものにあっては、特にエアポンプは外形が大きいことからこれを保持する長板部としては幅広の部材を備えておくことが必要であった。加えて、長板部上にはエアポンプ等の制御機構を固定するスペースを確保する必要があるので、長板部としては床面に近い低い位置に備える必要があった。
【０００５】
これにより従来は、支持台部におけるエアポンプやこれを保持するための長板部等の構造が足場の邪魔になるといった問題や、支持台部の低い位置に設置してある幅広の長板部と床面との間に足先を挟む恐れが高く持ち運びの際に危険であるといった問題や、支持台部全体が非常に大型の構造物となって外観が悪いといった問題があった。
【特許文献１】特許第３６２４９０８号公報
【発明の開示】
【発明が解決しようとする課題】
【０００６】
本発明は上記問題点に鑑みて発明したものであって、エアポンプ等が足場の邪魔になることがなく、また支持台部と床面との間にスペースを確保することが容易であって持ち運びの際に足先を挟むといった危険性が低く、且つ全体にスリムであって外観性の非常に良好な回転式脚マッサージ機を提供することを課題とするものである。
【課題を解決するための手段】
【０００７】
上記課題を解決するために本発明を、被施療者５０の脚部をマッサージするためのエアバッグを配してある脚施療部１を一面側に有するとともに該脚施療部１の反対面側には脚部を載せておくための脚載部２を有する本体部３と、上記本体部３を回転自在に支持する支持台部４とを具備する回転式脚マッサージ機において、エアバッグへの給排気を制御する制御機構２０を上記本体部３に内蔵させてあり、上記制御機構２０は、エアポンプ２２と、エアポンプ２２およびエアバックを連通させるエア経路１５と、エア経路１５内に介在する電磁弁１６と、エアポンプ２２及び電磁弁１６を制御する制御回路１４とから成り、脚施療部１の背面側に固定される取付板１７上に固定されたものであり、脚施療部１との間で制御機構２０を覆うように固定した収納カバーによって、箱型を成す脚載部２を形成していることを特徴とする。
【０００８】
このように、外形が大きなエアポンプ２２を本体部３内に収納した構成とすることで、支持台部４側にはエアポンプ２２を固定させるための大型の構造物やスペースが不要となる。したがってエアポンプ２２等が足場の邪魔になることがなく、また支持台部４と床面との間にスペースを形成することも容易であるから持ち運びの際に足先を挟むといった危険性が低く、しかも全体にスリムであって外観性の非常に良好な回転式脚マッサージ機となる。また、支持台部４側にはエアポンプ２２のみならず全体の制御機構２０を固定させるための構造物やスペースも不要となる。つまり、これら制御機構２０が足場の邪魔になるといったことが完全になくなり、また持ち運びの際に足先を挟むといった危険性が更に低くなるとともに、全体に更にスリムとなって外観性の非常に良好な回転式脚マッサージ機となる。
【００１０】
また、上記エアポンプ２２の互いに反対側を向く面にそれぞれ複数接続される防振用ゴム足１８を介して、上記エアポンプ２２を上記本体部３内に隙間を空けて支持させてあることも好適である。このようにすることで、本体部３の姿勢に関係なくエアポンプ２２の振動や動作音を低減させることができる。
【発明の効果】
【００１１】
本発明は、エアポンプ等が足場の邪魔になることがなく、また支持台部と床面との間にスペースを確保することが容易であって持ち運びの際に足先を挟むといった危険性が低く、且つ全体にスリムであって外観性が非常に良好なるといった効果を奏する。
【発明を実施するための最良の形態】
【００１２】
以下、本発明を添付図面に示す実施形態に基づいて説明する。図１、図２には、本発明の実施形態における一例の回転式脚マッサージ機を示している。図示の如く、本例の回転式脚マッサージ機は従来のものと同様に、被施療者５０の脚部をマッサージするためのエアバッグ（図示せず）を配してある脚施療部１を一面側に有するとともに該脚施療部１の反対面側には脚部を載せておくための脚載部２を有する本体部３と、上記本体部３を水平軸廻りに回転自在に支持する支持台部４とで主体を成すものである。
【００１３】
上記本体部３の脚施療部１側には、被施療者５０の左右の脚部をそれぞれ嵌入させる一対の溝部５を設けてあり、この溝部５の内壁部にエアバッグを配置しておくことで、エアバッグの膨縮により各溝部５に嵌入される脚部に適宜マッサージを施すことが可能になっている。上記脚施療部１の溝部５を設けてある側と反対側の面（即ち背面）には、一面の開口した箱型を成す脚載部２の開口縁部分を固定するようになっており、上記固定によって、脚施療部１と脚載部２が互いに反対側に位置する本体部３全体の外形を形成している。箱型を成す脚載部２の外底面には略平坦な載置面６を形成しており、被施療者５０はこの載置面６上に自らの脚部を載せて休ませることが可能になっている。また上記本体部３の脚施療部１の左右両側面からは、それぞれ水平方向を軸方向とする回転軸７が一体に延設してある（図５参照）。
【００１４】
また上記支持台部４は、本体部３から延出される左右一対の回転軸７をそれぞれ回転自在に支持する左右一対の支持脚部８と、左右の支持脚部８を水平方向につなぐ細長形状の補助フレーム９とで主体を成している。一方の支持脚部８には解除レバー１０を備えており、この解除レバー１０の下端を外側に引き上げることで、本体部３の回転を禁止するロック機構（図示せず）のロックを解除することができる。なお図中の符号１１は後述の制御回路１４に接続される外部コントローラであり、符号１２は同じく制御回路１４に接続される電源コードである。
【００１５】
そして本例の回転式脚マッサージ機にあっては、本体部３内に形成される収納空間Ｓに、脚施療部１の溝部５に配される各エアバッグへの給気を行うエアポンプ２２と、このエアポンプ２２や後述の電磁弁１６の駆動を制御する制御回路１４と、エアポンプ２２とエアバッグとを連通させて給排気を行う各種エア経路１５と、このエア経路１５内に介在させてある電磁弁１６とを内蔵させてある。上記収納空間Ｓ内の各部材により、エアポンプ２２を用いて各エアバッグへの給排気を制御するための、外部コントローラ１１を除いた全ての制御機構２０が形成されている。
【００１６】
本体部３内の上記収納空間Ｓは、図２に示す如く、脚施療部１の背面と、上記背面に固定される箱型の脚載部２との間に形成される密閉空間である。そして上記収納空間Ｓ内に収納される制御機構２０は、平板状を成す取付板１７の脚載部２側を向く平坦面上に固定されるようになっている。つまり箱型を成す脚載部２は、脚施療部１の背面側に固定される取付板１７上の制御機構２０を、脚施療部１との間で覆って保護する収納カバーのような役割をも果たすものである。
【００１７】
なお上記エアポンプ２２は、有底筒状を成すカバー２１と取付板１７との間にこれを収納することでエアポンプユニット１３を形成するものである。上記カバー２１の底板部分には複数の防振用ゴム足１８が圧入固定してあり、各防振用ゴム足１８の先端がエアポンプ２２の図中上面に圧縮状態で当たるようになっている。また取付板１７にも複数の防振用ゴム足１８が圧入固定されており、各防振用ゴム足１８の先端がエアポンプ２２の図中下面に圧縮状態で当たるようになっている。これにより本例のエアポンプ２２は、その互いに反対側を向く面（図中上下面）にそれぞれ複数接続される防振用ゴム足１８のみを介して、周囲の構造物（即ち取付板１７とカバー２１）とは隙間を空けて支持されるものである。
【００１８】
上記構成から成る本例の回転式脚マッサージ機にあっては、本体部３の脚載部２側を上方乃至斜め上方に向けた姿勢において該脚載部２の上面である載置面６上に脚部を載せて休ませることができる。このとき本体部３の回転はロックさせておく。
【００１９】
そしてマッサージを行いたい場合は、解除レバー１０を引いてロックを解除したうえで本体部３を回転させ、脚施療部１側を上方乃至側方に向けた姿勢に切換える。この姿勢で脚施療部１の溝部５内に脚部を嵌入させて外部コントローラ１１によりマッサージ開始を指令すれば、外部コード１２から電力を供給される制御回路１４はエアポンプ２２や電磁弁１６の駆動を適宜制御することでエアバッグを給排気させ、脚部に揉みマッサージを施すことができる。なお本体部３は、これを反転させる間の複数段階にてロック機構により回転をロック可能となっている。
【００２０】
このように本例の回転式脚マッサージ機にあっては、マッサージ施療時以外では脚載部２側を上にして脚部を載せて用いることができ、また簡易椅子として用いることも可能である。更に本体部３の姿勢を複数段階で切換えることで、図６（ａ）に示すように溝部５の内底面に足裏部分を当てるように脚部を嵌入させてマッサージを施すことも可能であるし、また図６（ｂ）に示すように膝下部分を床面上に立てた状態で溝部５内に脹脛部分を嵌入させてマッサージを施すことも可能である。
【００２１】
ここで、本例にあってはエアポンプ２２や制御回路１４から成る制御機構２０全体を本体部３内に収納してあるから、支持台部４の左右の支持脚部８間には細長の補助フレーム９を設けるだけでよく、したがって図６（ｂ）のように膝下部分を立てた状態で溝部５内に脹脛部分を嵌入させる際に、この脚部が補助フレーム９と接触しないように設けることができる。これに対して従来例のように、仮に補助フレーム９にエアポンプユニット１３等の制御機構２０を固定させる構造とするならば、補助フレーム９は幅広に設ける必要があってここに脚部が当たり、図６（ｂ）の姿勢でマッサージを施すことができない。
【００２２】
加えて、同じく従来例のように補助フレーム９にエアポンプユニット１３等を固定させる構造とするならば、外形の大きなエアポンプユニット１３が上方の本体部３と接触しないように補助フレーム９は床面近くの低い位置に備える必要が生じ、このため持ち運び時に補助フレーム９と床面との間で足先を挟む恐れが高くなる。対して本例にあっては、エアポンプユニット１３等を備える必要のない補助フレーム９を高い位置に備えることで、足先を挟むといった事態を防止しているのである。更に言えば、本例の回転式脚マッサージ機にあっては全体の外観もスリム化され、使用者の扱いも快適であるとともに居住空間にもフィットするものである。
【００２３】
またエアポンプ２２はエアポンプユニット１３内において上下の防振用ゴム足１８のみを介して中空支持されており、本体部３を回転させても接触することがない充分な隙間をエアポンプ２２とこれを囲む面との間に設けてあるので、エアポンプ２２の振動や騒音が周囲に影響を及ぼすことは防止されるものである。
【図面の簡単な説明】
【００２４】
【図１】本発明の実施形態における一例の回転式脚マッサージ機の分解斜視図である。
【図２】同上の回転式脚マッサージ機の全体斜視図である。
【図３】同上の回転式脚マッサージ機の本体部内に収納される制御機構を示す斜視図である。
【図４】同上の制御機構の一部破断図である。
【図５】同上の本体部の一部破断図であり、（ａ）は脚施療部側から見た状態、（ｂ）は脚載部側から見た状態である。
【図６】同上の回転式脚マッサージ機を用いたマッサージの説明図であり、（ａ）は足先部分をマッサージする場合、（ｂ）は床面に立てた脹脛部分をマッサージする場合である。
【符号の説明】
【００２５】
１  脚施療部
２  脚載部
３  本体部
４  支持台部
１８  防振用ゴム足
２０  制御機構
２２  エアポンプ
５０  被施療者
【図１】
0004506727.tif 000002
【図２】
0004506727.tif 000003
【図３】
0004506727.tif 000004
【図４】
0004506727.tif 000005
【図５】
0004506727.tif 000006
【図６】
0004506727.tif 000007